(57)【要約】【課題】防犯機能を有する無線端末装置において、端末使用者にサービスエリア圏内かどうかを意識させることなく、操作に応じて撮影した画像情報や取り込んだ音声情報を送信可能とし、防犯効果を向上させる。【解決手段】非常ボタン４の操作により、信号処理部５ａはマイク部２及びカメラ部３の動作を開始させ、音声信号及び映像信号をメモリ部６に蓄積する。信号処理部５ａは無線部７からの情報により無線端末装置１ａがサービスエリア圏内にあると判断した場合には予め設定された通信相手に向けて映像信号及び音声信号を送信する。一方、サービスエリア圏外にあると判断した場合には映像信号及び音声信号の送信を待機し、無線端末装置１ａがサービスエリア圏内に復帰した後、直ちにメモリ部６に蓄積された映像信号及び音声信号を自動的に送信する。【選択図】　図１
2004072499.tif 000002
【特許請求の範囲】
【請求項１】
映像情報を得る撮影手段と、
音声情報を得る音声入力手段と、
前記撮影手段からの映像情報及び前記音声入力手段からの音声情報を蓄積する記憶手段と、
前記映像情報と前記音声情報の少なくとも一方の送信を指示する送信スイッチ手段と、
無線通信を行う無線通信手段と、
前記無線通信手段における受信信号に基づいてサービスエリア内かどうかを判断し、前記送信スイッチ手段が操作された時に前記サービスエリア内にある場合は前記映像情報と前記音声情報の少なくとも一方を通信相手に送信し、前記送信スイッチ手段が操作された時に前記サービスエリア外にある場合は前記映像情報及び前記音声情報を前記記憶手段に記憶させ、前記サービスエリア内に復帰した後に前記記憶手段に記憶させた映像情報及び音声情報を前記通信相手に送信する信号処理手段と、
を備えたことを特徴とする無線端末装置。
【請求項２】
音声を出力する音声出力手段を備え、前記信号処理手段は、前記サービスエリア外となった場合に前記音声出力手段より音声を発生させて使用者へ通知を行うことを特徴とする請求項１記載の無線端末装置。
【請求項３】
機械的振動する振動手段を備え、前記信号処理手段は、前記サービスエリア外となった場合に前記振動手段により振動を発生させて使用者へ通知を行うことを特徴とする請求項１または２のいずれかに記載の無線端末装置。
【請求項４】
前記信号処理手段が設けられる装置本体とは別体に設けられ、通電制御により温度が変化する変温手段を備え、前記信号処理手段は、前記サービスエリア外となった場合に前記変温手段を通電制御して前記変温手段の温度を変化させて使用者へ通知を行うことを特徴とする請求項１〜３のいずれかに記載の無線端末装置。
【請求項５】
映像情報を得る撮影手段と、
音声情報を得る音声入力手段と、
前記撮影手段からの映像情報及び前記音声入力手段からの音声情報を蓄積する記憶手段と、
前記映像情報と前記音声情報の少なくとも一方の送信を指示する送信スイッチ手段と、
無線通信を行う無線通信手段と、
前記送信スイッチ手段が操作され、前記無線通信手段により通信相手からの制御信号を受信した場合には、前記映像情報と前記音声情報の少なくとも一方を前記通信相手に送信する信号処理手段と、
を備えたことを特徴とする無線端末装置。
【請求項６】
手動操作で電源のオンオフを行う電源スイッチ手段を備え、前記信号処理手段は、前記電源スイッチ手段がオフされた場合に自己以外の各部の電源をオフして待機状態になり、この待機状態で前記送信スイッチ手段が操作されたときに前記撮影手段及び前記音声入力手段の動作を開始させて前記映像情報と前記音声情報の少なくとも一方を予め設定された通信相手に送信することを特徴とする請求項１〜５のいずれかに記載の無線端末装置。
【請求項７】
手動操作で電源のオンオフを行う電源スイッチ手段を備え、前記信号処理手段は、前記電源スイッチ手段がオフされた場合に自己と前記無線通信手段以外の各部の電源をオフして待機状態になり、この待機状態で前記無線通信手段により通信相手からの制御信号を受信した場合には前記撮影手段及び前記音声入力手段の動作を開始させて前記映像情報と前記音声情報少なくとも一方を前記通信相手に送信することを特徴とする請求項１〜５のいずれかに記載の無線端末装置。
【請求項８】
情報表示を行う表示手段を備え、前記信号処理手段は、前記待機状態及び前記待機状態から情報の送信を行う状態では、前記表示手段を無表示状態とすることを特徴とする請求項６または７に記載の無線端末装置。
【請求項９】
電源を供給するバッテリと、前記バッテリとは別の補助電池とを備え、前記バッテリの電圧及び有無の検出を行い、前記バッテリの電圧が基準値以下になった場合または前記バッテリが取り外された場合に、前記補助電池の電源を用いて前記映像情報と前記音声情報の少なくとも一方の送信を行うことを特徴とする請求項１〜８のいずれかに記載の無線端末装置。
【発明の詳細な説明】
【０００１】
【発明の属する技術分野】
本発明は、通話機能の他に映像及び音声データを利用した防犯機能を有した無線端末装置に関する。
【０００２】
【従来の技術】
従来、例えば特開平１１−４１６６９号公報に開示されているように、送信スイッチの投入によりカメラで撮影した画像及びマイクロフォンから入力された一定時間の音声の送信を行う防犯携帯電話システムが知られている。この従来技術では、携帯電話機などの無線端末装置に設けられたカメラからの映像情報やマイクロフォンからの音声情報を電話回線にて受信装置に送り、必要に応じてこれらの情報を再生することができる。また、受信装置からの制御により、無線端末装置から映像情報や音声情報を送信することができる。これにより、犯罪遭遇時の現場証拠を得られるだけでなく、このシステムそのものの存在により犯罪を未然に防ぐことができる。
【０００３】
【発明が解決しようとする課題】
しかしながら、上述したような従来技術においては、次のような問題点がある。
（１）無線端末装置がサービスエリア圏外に存在する場合には、映像情報や音声情報を送信することができず防犯効果が低下してしまうため、防犯効果を確保するためには無線端末装置のアンテナバー表示等によりサービスエリア圏内にいるかどうかを確認し続ける必要がある。
【０００４】
（２）受信装置の制御により無線端末装置から映像情報や音声情報を送信する機能を有する場合には、端末使用者が希望しなくても映像情報や音声情報を送信することができるため、端末使用者のプライバシーを侵害してしまう可能性がある。
【０００５】
（３）端末使用者が無線端末装置の電源を切っていた場合や犯罪加害者に無線端末装置の電源を切られてしまった場合には、映像情報や音声情報を送信することができず、防犯効果が低下してしまう。
【０００６】
（４）端末使用者が無線端末装置のバッテリを取り外していた場合や犯罪加害者に無線端末装置のバッテリが取り外されてしまった場合には、映像情報や音声情報を送信することができず、防犯効果が低下してしまう。
【０００７】
（５）無線端末装置から映像情報や音声情報を送信する際に、無線端末装置の表示器に送信中と表示されてしまうことにより、犯罪加害者に映像情報や音声情報を送信していることを知られてしまい、端末使用者の身に危険が生じる可能性がある。
【０００８】
本発明は、上記事情に鑑みてなされたもので、その目的は、防犯機能を有する無線端末装置において、装置がサービスエリア圏外に存在する場合や電源オフ時などでも防犯効果の低下を最小限に抑えることができ、また端末使用者が意図しない映像情報や音声情報の送信、表示を防止することが可能な無線端末装置を提供することにある。
【０００９】
【課題を解決するための手段】
本発明に係る無線端末装置は、映像情報を得る撮影手段と、音声情報を得る音声入力手段と、前記撮影手段からの映像情報及び前記音声入力手段からの音声情報を蓄積する記憶手段と、前記映像情報と前記音声情報の少なくとも一方の送信を指示する送信スイッチ手段と、無線通信を行う無線通信手段と、前記無線通信手段における受信信号に基づいてサービスエリア内かどうかを判断し、前記送信スイッチ手段が操作された時に前記サービスエリア内にある場合は前記映像情報と前記音声情報の少なくとも一方を通信相手に送信し、前記送信スイッチ手段が操作された時に前記サービスエリア外にある場合は前記映像情報及び前記音声情報を前記記憶手段に記憶させ、前記サービスエリア内に復帰した後に前記記憶手段に記憶させた映像情報及び音声情報を前記通信相手に送信する信号処理手段と、を備えたことを特徴とする。
【００１０】
上記構成によれば、サービスエリア外にいるときに非常ボタン等による送信スイッチ手段が操作されてオンされた場合は、サービスエリア内に復帰後、マイク等の音声入力手段からの音声情報及びカメラ部等の撮影手段からの映像情報を送信できるため、使用者にサービスエリア内にいるかどうかを意識させることなく、防犯効果を高めることが可能となる。
【００１１】
また、音声を出力する音声出力手段を備え、前記信号処理手段は、前記サービスエリア外となった場合に前記音声出力手段より音声を発生させて使用者へ通知を行うことを特徴とする。
【００１２】
上記構成によれば、サービスエリア外にいるときは非常ボタン等による送信スイッチ手段を操作してオンしても映像情報及び音声情報を直ちに送信することはできないことをスピーカ部等の音声出力手段から音声信号を出力して通知することにより、使用者に注意を喚起することができ、防犯効果をさらに高めることが可能となる。
【００１３】
また、機械的振動する振動手段を備え、前記信号処理手段は、前記サービスエリア外となった場合に前記振動手段により振動を発生させて使用者へ通知を行うことを特徴とする。
【００１４】
上記構成によれば、サービスエリア外にいるときは非常ボタン等による送信スイッチ手段を操作してオンしても映像情報及び音声情報を直ちに送信することはできないことを振動手段の振動により通知することで使用者に注意を喚起することができ、防犯効果をさらに高めることが可能となる。また、サービスエリア外にいることを端末使用者のみに通知することが可能である。
【００１５】
また、前記信号処理手段が設けられる装置本体とは別体に設けられ、通電制御により温度が変化する変温手段を備え、前記信号処理手段は、前記サービスエリア外となった場合に前記変温手段を通電制御して前記変温手段の温度を変化させて使用者へ通知を行うことを特徴とする。
【００１６】
上記構成によれば、サービスエリア外にいるときは非常ボタン等による送信スイッチ手段を操作してオンしても映像情報及び音声情報を直ちに送信することはできないことを変温手段の温度を変化させて通知することにより、使用者に注意を喚起することができ、防犯効果をさらに高めることが可能となる。また、サービスエリア外にいることを端末使用者のみに通知することが可能である。
【００１７】
本発明に係る無線端末装置は、映像情報を得る撮影手段と、音声情報を得る音声入力手段と、前記撮影手段からの映像情報及び前記音声入力手段からの音声情報を蓄積する記憶手段と、前記映像情報と前記音声情報の少なくとも一方の送信を指示する送信スイッチ手段と、無線通信を行う無線通信手段と、前記送信スイッチ手段が操作され、前記無線通信手段により通信相手からの制御信号を受信した場合には、前記映像情報と前記音声情報の少なくとも一方を前記通信相手に送信する信号処理手段と、を備えたことを特徴とする。
【００１８】
上記構成によれば、非常ボタン等による送信スイッチ手段が操作されてオンされ、無線通信手段により通信相手からの制御信号を受信した場合に、この制御信号によって映像情報及び音声情報を送信できるため、端末使用者のプライバシーを確保しつつ防犯効果を高めることが可能となる。
【００１９】
また、手動操作で電源のオンオフを行う電源スイッチ手段を備え、前記信号処理手段は、前記電源スイッチ手段がオフされた場合に自己以外の各部の電源をオフして待機状態になり、この待機状態で前記送信スイッチ手段が操作されたときに前記撮影手段及び前記音声入力手段の動作を開始させて前記映像情報と前記音声情報の少なくとも一方を予め設定された通信相手に送信することを特徴とする。
【００２０】
上記構成によれば、電源スイッチ手段により電源オフ操作を行った場合でも電源オフ状態ではなく待機状態になり、この待機状態で送信スイッチ手段が操作されてオンされた場合に直ちに映像情報及び音声情報を送信できるため、端末使用者が誤って無線端末装置の電源オフ操作を行った場合でも情報送信が可能であり、防犯効果を高めることが可能となる。
【００２１】
また、手動操作で電源のオンオフを行う電源スイッチ手段を備え、前記信号処理手段は、前記電源スイッチ手段がオフされた場合に自己と前記無線通信手段以外の各部の電源をオフして待機状態になり、この待機状態で前記無線通信手段により通信相手からの制御信号を受信した場合には前記撮影手段及び前記音声入力手段の動作を開始させて前記映像情報と前記音声情報少なくとも一方を前記通信相手に送信することを特徴とする。
【００２２】
上記構成によれば、電源スイッチ手段により電源オフ操作を行った場合でも電源オフ状態ではなく待機状態になり、この待機状態で外部からの制御信号を受信した場合に直ちに映像情報及び音声情報を送信することができるため、端末使用者が誤って無線端末装置の電源オフ操作を行った場合でも情報送信が可能であり、防犯効果を高めることが可能となる。
【００２３】
また、情報表示を行う表示手段を備え、前記信号処理手段は、前記待機状態及び前記待機状態から情報の送信を行う状態では、前記表示手段を無表示状態とすることを特徴とする。
【００２４】
上記構成によれば、待機状態、または待機状態で送信スイッチ手段が操作されて映像情報及び音声情報を送信している際に、表示手段を無表示のままとすることにより、外見的には電源オフ状態のように見せることができ、動作状態が他者にわからないようにして犯罪遭遇時などの緊急時における危険度を低下させることが可能となる。
【００２５】
また、電源を供給するバッテリと、前記バッテリとは別の補助電池とを備え、前記バッテリの電圧及び有無の検出を行い、前記バッテリの電圧が基準値以下になった場合または前記バッテリが取り外された場合に、前記補助電池の電源を用いて前記映像情報と前記音声情報の少なくとも一方の送信を行うことを特徴とする。
【００２６】
上記構成によれば、通常使用するバッテリの他に補助電池を備えることにより、バッテリの残量が少ない場合やバッテリが取り外されている場合でも映像情報及び音声情報を送信できるため、防犯効果を高めることが可能となる。
【００２７】
【発明の実施の形態】
以下、図面を参照して本発明の実施形態を説明する。
（第１実施形態）
図１は、本発明の第１実施形態に係る無線端末装置の構成を示すブロック図である。本実施形態の無線端末装置１ａは、音声を取り込む音声入力手段としてのマイク部２と、撮像を行う撮影手段としてのカメラ部３と、非常時に音声信号及び映像信号を送信するために端末使用者が操作する送信スイッチ手段としての非常ボタン４と、信号処理手段としての信号処理部５ａと、記憶手段としてのメモリ部６と、無線通信手段としての無線部７とを備えている。
【００２８】
マイク部２は無線端末装置１ａの周囲音声等の音声入力を行う。カメラ部３は無線端末装置１ａの近傍の被写体を撮像し、静止画及び動画といった映像信号の入力を行う。信号処理部５ａは、マイク部２、カメラ部３、非常ボタン４、メモリ部６及び無線部７をそれぞれ制御し、互いの信号伝達を処理する。無線部７は、信号処理部５ａから供給される信号を変調及び増幅してアンテナ２０より送信するとともに、アンテナ２０より入力される受信信号を増幅及び復調する。
【００２９】
以上のように構成された無線端末装置１ａにおいて、非常ボタン４が操作されてオンされると、信号処理部５ａは、マイク部２及びカメラ部３の動作を開始させ、マイク部２より入力される音声信号及びカメラ部３より入力される映像信号をメモリ部６に蓄積する。
【００３０】
ここで、信号処理部５ａは、無線部７からの情報により無線端末装置１ａがサービスエリア圏内にあると判断した場合、予め設定された通信相手に向けてメモリ部６に蓄積された音声信号及び映像信号を無線部７より送信する。これに対して、無線部７からの情報により無線端末装置１ａがサービスエリア圏外にあると判断した場合は、メモリ部６に蓄積された音声信号及び映像信号の送信を待機する。そして、無線端末装置１ａがサービスエリア圏内に復帰すると、直ちにメモリ部６に蓄積された音声信号及び映像信号を自動的に予め設定された通信相手に送信する。
【００３１】
このように、第１実施形態の無線端末装置によれば、自装置がサービスエリア圏外にある場合に非常ボタン４が操作された場合は、マイク部２で取り込んだ音声信号及びカメラ部３で撮像した映像信号をメモリ部６に蓄積して待機し、サービスエリア圏内に復帰後、自動的に蓄積した音声信号及び映像信号を送信できる。このため、使用者にサービスエリア圏内にいるかどうかを意識させることなく非常時の音声及び画像を送信でき、防犯効果を高めることができる。
【００３２】
（第２実施形態）
図２は、本発明の第２実施形態に係る無線端末装置の構成を示すブロック図である。第２実施形態の無線端末装置１ｂは、マイク部２と、カメラ部３と、非常ボタン４と、信号処理部５ｂと、メモリ部６と、無線部７と、音声出力手段としてのスピーカ部８とを備えている。なお、第２実施形態においては、信号処理部５ｂとスピーカ部８を除く他の部分は第１実施形態と同一である。
【００３３】
信号処理部５ｂは、マイク部２、カメラ部３、非常ボタン４、メモリ部６、無線部７及びスピーカ部８を制御し、互いの信号伝達を処理する。スピーカ部８は音声信号の出力を行うものである。
【００３４】
上記構成の無線端末装置１ｂにおいて、非常ボタン４が操作されてオンされると、信号処理部５ｂは、マイク部２及びカメラ部３の動作を開始させ、マイク部２より入力される音声信号及びカメラ部３より入力される映像信号をメモリ部６に蓄積する。
【００３５】
ここで、信号処理部５ｂは、無線部７からの情報により無線端末装置１ｂがサービスエリア圏内にあると判断した場合、予め設定された通信相手に向けてメモリ部６に蓄積された音声信号及び映像信号を無線部７より送信する。これに対して、無線部７からの情報により無線端末装置１ｂがサービスエリア圏外にあると判断した場合は、メモリ部６に蓄積された音声信号及び映像信号の送信を待機する。そして、無線端末装置１ｂがサービスエリア圏内に復帰すると、直ちにメモリ部６に蓄積された音声信号及び映像信号を自動的に予め設定された通信相手に送信する。
【００３６】
一方で、無線端末装置１ｂがサービスエリア圏外にある場合は、非常ボタン４を操作しても直ちにメモリ部６に蓄積された音声信号及び映像信号を送信することができないため、防犯効果が低下してしまう。そこで、信号処理部５ｂは、無線部７からの情報により無線端末装置１ｂがサービスエリア圏外にあると判断した場合、スピーカ部８から音声信号を出力することにより、端末使用者に圏外であることを通知する。
【００３７】
このように、第２実施形態の無線端末装置によれば、第１実施形態と同様、自装置がサービスエリア圏外にある場合に非常ボタン４が操作された場合は、マイク部２で取り込んだ音声信号及びカメラ部３で撮像した映像信号をメモリ部６に蓄積して待機し、サービスエリア圏内に復帰後に蓄積した音声信号及び映像信号を送信できる。このため、使用者にサービスエリア圏内にいるかどうかを意識させることなく非常時の音声及び画像を送信でき、防犯効果を高めることができる。また、サービスエリア圏外にある場合には非常ボタン４を操作しても音声信号と映像信号を直ちに送信することができないことをスピーカ部８から音声信号を出力して通知することにより、使用者の注意を喚起することができ、防犯効果をさらに高めることができる。
【００３８】
（第３実施形態）
図３は、本発明の第３実施形態に係る無線端末装置の構成を示すブロック図である。第３実施形態の無線端末装置１ｃは、マイク部２と、カメラ部３と、非常ボタン４と、信号処理部５ｃと、メモリ部６と、無線部７と、振動手段としての振動部９とを備えている。なお、第３実施形態においては、信号処理部５ｃと振動部９を除く他の部分は第１実施形態と同一である。
【００３９】
信号処理部５ｃは、マイク部２、カメラ部３、非常ボタン４、メモリ部６、無線部７及び振動部９を制御し、互いの信号伝達を処理する。振動部９は自身が振動することにより端末使用者に情報を伝達する。
【００４０】
上記構成の無線端末装置１ｃにおいて、非常ボタン４が操作されてオンされると、信号処理部５ｃは、マイク部２及びカメラ部３の動作を開始させ、マイク部２より入力される音声信号及びカメラ部３より入力される映像信号をメモリ部６に蓄積する。
【００４１】
ここで、信号処理部５ｃは、無線部７からの情報により無線端末装置１ｃがサービスエリア圏内にあると判断した場合、予め設定された通信相手に向けてメモリ部６に蓄積された音声信号及び映像信号を無線部７から送信する。これに対して、無線部７からの情報により無線端末装置１ｃがサービスエリア圏外にあると判断した場合は、メモリ部６に蓄積された音声信号及び映像信号の送信を待機する。そして、無線端末装置１ｃがサービスエリア圏内に復帰すると、直ちにメモリ部６に蓄積された音声信号及び映像信号を自動的に予め設定された通信相手に送信する。
【００４２】
一方で、無線端末装置１ｃがサービスエリア圏外にある場合は、非常ボタン４を操作しても直ちにメモリ部６に蓄積された音声信号及び映像信号を送信することができないため、防犯効果が低下してしまう。そこで、信号処理部５ｃは、無線部７からの情報により無線端末装置１ｃがサービスエリア圏外にあると判断した場合、振動部９を振動させることにより、端末使用者に圏外であることを通知する。
【００４３】
このように、第３実施形態の無線端末装置によれば、第１実施形態と同様、自装置がサービスエリア圏外にある場合に非常ボタン４が操作された場合は、マイク部２で取り込んだ音声信号及びカメラ部３で撮像した映像信号をメモリ部６に蓄積して待機し、サービスエリア圏内に復帰後に蓄積した音声信号及び映像信号を送信できる。このため、使用者にサービスエリア圏内にいるかどうかを意識させることなく非常時の音声及び画像を送信でき、防犯効果を高めることができる。また、サービスエリア圏外にある場合には非常ボタン４を操作しても音声信号と映像信号を直ちに送信することはできないことを振動部９を振動させて通知することにより、使用者の注意を喚起することができ、防犯効果をさらに高めることができる。また、装置の振動によってサービスエリア圏外にあることを端末使用者のみに通知することができる。
【００４４】
（第４実施形態）
図４は、本発明の第４実施形態に係る無線端末装置の構成を示すブロック図である。第４実施形態の無線端末装置１ｄは、マイク部２と、カメラ部３と、信号処理部５ｄと、メモリ部６と、無線部７とを備えるとともに、別体の外部非常ボタン部１０を備えている。外部非常ボタン部１０は、非常ボタン４と、変温手段としての変温部１１と、無線部１２とを備えて構成される。なお、第４実施形態においては、信号処理部５ｄ、外部非常ボタン部１０、変温部１１、無線部１２を除く他の部分は第１実施形態と同一である。
【００４５】
信号処理部５ｄは、マイク部２、カメラ部３、メモリ部６、無線部７及び振動部９を制御し、互いの信号伝達を処理する。外部非常ボタン部１０は、無線部１２により無線端末装置１ｄ本体の無線部７を介して信号処理部５ｄとの間で信号伝達を行い、信号処理部５ｄにより制御される。変温部１１は、端末使用者の身体に接触する部分に設けられ、ペルチェ素子等を用いて表面温度を変化させることにより使用者に情報を伝達する。無線部１２は、非常ボタン４からの信号を変調及び増幅してアンテナ２１より無線部７に向けて送信するとともに、無線部７からアンテナ２１経由で入力される受信信号を増幅及び復調して変温部１１に信号を出力する。
【００４６】
以上のように構成された無線端末装置１ｄにおいて、非常ボタン４が操作されてオンされると、信号処理部５ｄは、マイク部２及びカメラ部３の動作を開始させ、マイク部２より入力される音声信号及びカメラ部３より入力される映像信号をメモリ部６に蓄積する。
【００４７】
ここで、信号処理部５ｄは、無線部７からの情報により無線端末装置１ｄがサービスエリア圏内にあると判断した場合、予め設定された通信相手に向けてメモリ部６に蓄積された音声信号及び映像信号を無線部７より送信する。これに対して、無線部７からの情報により無線端末装置１ｄがサービスエリア圏外にあると判断した場合は、メモリ部６に蓄積された音声信号及び映像信号の送信を待機する。そして、無線端末装置１ｄがサービスエリア圏内に復帰すると、直ちにメモリ部６に蓄積された音声信号及び映像信号を自動的に予め設定された通信相手に送信する。
【００４８】
一方で、無線端末装置１ｄがサービスエリア圏外にある場合は、非常ボタン４を操作しても直ちにメモリ部６に蓄積された音声信号及び映像信号を送信することができないため、防犯効果が低下してしまう。そこで、信号処理部５ｄは、無線部７からの情報により無線端末装置１ｄがサービスエリア圏外にあると判断した場合、変温部１１の温度を変化させることにより、端末使用者に圏外であることを通知する。
【００４９】
このように、第４実施形態の無線端末装置によれば、第１実施形態と同様、自装置がサービスエリア圏外にある場合に非常ボタン４が操作された場合は、マイク部２で取り込んだ音声信号及びカメラ部３で撮像した映像信号をメモリ部６に蓄積して待機し、サービスエリア圏内に復帰後に蓄積した音声信号及び映像信号を送信できる。このため、使用者にサービスエリア圏内にいるかどうかを意識させることなく非常時の音声及び画像を送信でき、防犯効果を高めることができる。また、サービスエリア圏外にある場合には非常ボタン４を操作しても音声信号と映像信号を直ちに送信することはできないことを使用者の身体に密着した変温部１１の温度を変化させて通知することにより、使用者の注意を喚起することができ、防犯効果をさらに高めることができる。また、装置の温度変化によってサービスエリア圏外にあることを端末使用者のみに通知することができる。
【００５０】
なお、本実施形態では、外部非常ボタン部１０を無線端末装置とは別個に設ける構成としたが、変温部１１を端末本体表面に設け、端末使用者の身体と密着させる構成としても同様の効果を有する。
【００５１】
（第５実施形態）
図５は、本発明の第５実施形態に係る無線端末装置の構成を示すブロック図である。第５実施形態の無線端末装置１ｅは、マイク部２と、カメラ部３と、非常ボタン４と、信号処理部５ｅと、メモリ部６と、無線部７とを備えている。なお、第５実施形態においては、信号処理部５ｅを除く他の部分は第１実施形態と同一である。
【００５２】
信号処理部５ｅは、マイク部２、カメラ部３、非常ボタン４、メモリ部６及び無線部７を制御し、互いの信号伝達を処理する。この第５実施形態は、第１実施形態の信号処理部５ａとは制御処理動作が異なっている。
【００５３】
上記構成の無線端末装置１ｅにおいて、音声信号及び映像信号を送信させる制御信号が、予め設定された通信相手から無線部７を通じて信号処理部５ｅに入力された場合、信号処理部５ｅは、マイク部２及びカメラ部３の動作を開始させ、マイク部２より入力される音声信号及びカメラ部３より入力される映像信号をメモリ部６に蓄積する。そして、前記通信相手に向けてメモリ部６に蓄積された音声信号及び映像信号を無線部７から送信する。
【００５４】
一方で、予め設定された通信相手といえども無制限にマイク部２からの音声信号及びカメラ部３からの映像信号を外部から取り出すことができると、端末使用者のプライバシーを侵害する恐れがある。そこで、信号処理部５ｅは、図６に示す状態遷移図に基づいて制御を行う。
【００５５】
すなわち、音声信号及び映像信号を送信させる制御信号が外部から着信した場合（状態Ｓ１）、非常ボタン４が操作されているか判定し（状態Ｓ２）、操作されている場合にはマイク部２からの音声信号及びカメラ部３からの映像信号の送信を開始させる（状態Ｓ３）。一方、非常ボタン４が操作されていない場合には、制御信号の着信を拒否する（状態Ｓ４）。
【００５６】
このように、第５実施形態の無線端末装置によれば、非常ボタン４が操作された場合にのみ予め設定された通信相手からの制御により自動的にマイク部２からの音声信号及びカメラ部３で撮影した映像信号を送信できる。このため、端末使用者のプライバシーを確保しつつ防犯効果を高めることができる。
【００５７】
なお、本実施形態では、非常ボタン４が操作されているときのみ外部からの制御を受け付けるものとしたが、非常ボタン４の操作が継続している場合に限らず、非常ボタン４を１度操作すれば一定期間内は外部からの制御を受け付けるようにしてもよい。
【００５８】
（第６実施形態）
図７は、本発明の第６実施形態に係る無線端末装置の構成を示すブロック図である。第６実施形態の無線端末装置１ｆは、マイク部２と、カメラ部３と、非常ボタン４と、信号処理部５ｆと、メモリ部６と、無線部７と、装置電源のオンオフ操作を行う電源スイッチ手段としての電源ボタン１３とを備えている。なお、第６実施形態においては、信号処理部５ｆと電源ボタン１３を除く他の部分は第１実施形態と同一である。
【００５９】
信号処理部５ｆは、マイク部２、カメラ部３、非常ボタン４、メモリ部６、無線部７及び電源ボタン１３を制御し、互いの信号伝達を処理する。
【００６０】
上記構成の無線端末装置１ｆにおいて、非常ボタン４が操作されてオンされると、信号処理部５ｆは、マイク部２及びカメラ部３の動作を開始させ、マイク部２より入力される音声信号及びカメラ部３より入力される映像信号をメモリ部６に蓄積する。
【００６１】
ここで、信号処理部５ｆは、無線部７からの情報により無線端末装置１ｆがサービスエリア圏内にあると判断した場合、予め設定された通信相手に向けてメモリ部６に蓄積された音声信号及び映像信号を無線部７より送信する。これに対して、無線部７からの情報により無線端末装置１ｆがサービスエリア圏外にあると判断した場合は、メモリ部６に蓄積された音声信号及び映像信号の送信を待機する。そして、無線端末装置１ｆがサービスエリア圏内に復帰すると、直ちにメモリ部６に蓄積された音声信号及び映像信号を自動的に予め設定された通信相手に送信する。
【００６２】
一方で、無線端末装置１ｆの電源がオフになっている場合には、非常ボタン４を操作してもマイク部２からの音声信号及びカメラ部３からの映像信号を送信することができず、一旦電源ボタン１３を操作して電源をオンにした後、改めて非常ボタン４を操作する必要があり、緊急時への対応が遅れてしまう。そこで、本実施形態では、電源オン状態で電源ボタン１３を操作した場合には、信号処理部５ｆの制御により、電源オフ状態にはならず、信号処理手段５ｆ以外の電源を切断して待機状態になるようにする。この待機状態で非常ボタン４が操作された場合には自動的に電源オン状態になり、直ちにマイク部２からの音声信号及びカメラ部３からの映像信号を送信する。
【００６３】
このように、第６実施形態の無線端末装置によれば、第１実施形態と同様、自装置がサービスエリア圏外にある場合に非常ボタン４が操作された場合は、マイク部２で取り込んだ音声信号及びカメラ部３で撮像した映像信号をメモリ部６に蓄積して待機し、サービスエリア圏内に復帰後に蓄積した音声信号及び映像信号を送信できる。このため、使用者にサービスエリア圏内にいるかどうかを意識させることなく非常時の音声及び画像を送信でき、防犯効果を高めることができる。また、通常の電源オフ操作では待機状態になり、非常ボタン４を操作することにより直ちにマイク部２からの音声信号及びカメラ部３で撮影した映像信号を送信でき、端末使用者が誤って無線端末装置の電源オフ操作を行おうとした場合でも防犯効果を高めることができる。
【００６４】
（第７実施形態）
図８は、本発明の第７実施形態に係る無線端末装置の構成を示すブロック図である。第７実施形態の無線端末装置１ｇは、マイク部２と、カメラ部３と、非常ボタン４と、信号処理部５ｇと、メモリ部６と、無線部７と、電源ボタン１３とを備えている。なお、第７実施形態においては、信号処理部５ｇと電源ボタン１３を除く他の部分は第５実施形態と同一である。
【００６５】
信号処理部５ｇは、マイク部２、カメラ部３、非常ボタン４、メモリ部６、無線部７及び電源ボタン１３を制御し、互いの信号伝達を処理する。この第７実施形態は、第６実施形態の信号処理部５ｆとは制御処理動作が異なり、第５実施形態と第６実施形態とを組み合わせたものである。
【００６６】
上記構成の無線端末装置１ｇにおいて、音声信号及び映像信号を送信させる制御信号が、予め設定された通信相手から無線部７を通じて信号処理部５ｅに入力された場合、信号処理部５ｇは、マイク部２及びカメラ部３の動作を開始させ、マイク部２より入力される音声信号及びカメラ部３より入力される映像信号をメモリ部６に蓄積する。そして、前記通信相手に向けてメモリ部６に蓄積された音声信号及び映像信号を無線部７から送信する。
【００６７】
一方で、無線端末装置１ｇの電源がオフになっている場合には、外部からの制御によりマイク部２からの音声信号及びカメラ部３からの映像信号を送信することができず、防犯効果が得られなくなってしまう。そこで、本実施形態では、電源オン状態で電源ボタン１３を操作した場合には、信号処理部５ｇの制御により、電源オフ状態にはならず、信号処理部５ｇ及び無線部７以外の電源を切断して待機状態になるようにする。この待機状態で外部からの制御信号を受信した場合には自動的に電源オン状態になり、直ちにマイク部２からの音声信号及びカメラ部３からの映像信号を送信する。
【００６８】
このように、第７実施形態の無線端末装置によれば、通常の電源オフ操作では待機状態になり、外部からの制御信号を受信すると直ちにマイク部２からの音声信号及びカメラ部３で撮影した映像信号を送信することができ、端末使用者が誤って無線端末装置の電源オフ操作を行おうとした場合でも防犯効果を高めることができる。
【００６９】
（第８実施形態）
図９は、本発明の第８実施形態に係る無線端末装置の構成を示すブロック図である。第８実施形態の無線端末装置１ｈは、マイク部２と、カメラ部３と、非常ボタン４と、信号処理部５ｈと、メモリ部６と、無線部７と、電源ボタン１３と、表示手段としての表示部１４とを備えている。なお、第８実施形態においては、信号処理部５ｈと表示部１４を除く他の部分は第６実施形態と同一である。
【００７０】
信号処理部５ｈは、マイク部２、カメラ部３、非常ボタン４、メモリ部６、無線部７、電源ボタン１３及び表示部１４を制御し、互いの信号伝達を処理する。表示部１４は液晶表示素子などにより情報の表示を行う。
【００７１】
上記構成の無線端末装置１ｈにおいて、非常ボタン４が操作されてオンされると、信号処理部５ｆは、マイク部２及びカメラ部３の動作を開始させ、マイク部２より入力される音声信号及びカメラ部３より入力される映像信号をメモリ部６に蓄積する。
【００７２】
ここで、信号処理部５ｈは、無線部７からの情報により無線端末装置１ｈがサービスエリア圏内にあると判断した場合、予め設定された通信相手に向けてメモリ部６に蓄積された音声信号及び映像信号を無線部７から送信する。これに対して、無線部７からの情報により無線端末装置１ｈがサービスエリア圏外にあると判断した場合は、メモリ部６に蓄積された音声信号及び映像信号の送信を待機する。そして、無線端末装置１ｈがサービスエリア圏内に復帰すると、直ちにメモリ部６に蓄積された音声信号及び映像信号を自動的に予め設定された通信相手に送信する。表示部１４は、無線端末装置の状態や文字及び画像といった視覚情報を表示し、端末使用者に伝達する。
【００７３】
一方で、無線端末装置１ｈの電源がオフになっている場合には、非常ボタン４を操作してもマイク部２からの音声信号及びカメラ部３からの映像信号を送信することができず、一旦電源ボタン１３を操作して電源をオンにした後、改めて非常ボタン４を操作する必要があり、緊急時への対応が遅れてしまう。そこで、本実施形態では、電源オン状態で電源ボタン１３を操作した場合には、信号処理部５ｈの制御により、電源オフ状態にはならず、信号処理手段５ｈ以外の電源を切断して待機状態になるようにする。この待機状態で非常ボタン４が操作された場合には自動的に電源オン状態になり、直ちにマイク部２からの音声信号及びカメラ部３からの映像信号を送信する。
【００７４】
しかし、待機状態及び待機状態からの非常ボタン４操作による自動電源オン状態において、表示部１４の表示が行われていると、電源オフ状態ではないと視覚的に分かってしまう。このため、信号処理部５ｈは、待機状態及び待機状態からの非常ボタン４の操作による自動電源オン状態には、表示部１４の表示を電源オフ状態と同様の無表示状態とするよう制御を行う。
【００７５】
このように、第８実施形態の無線端末装置によれば、第１実施形態と同様、自装置がサービスエリア圏外にある場合に非常ボタン４が操作された場合は、マイク部２で取り込んだ音声信号及びカメラ部３で撮像した映像信号をメモリ部６に蓄積して待機し、サービスエリア圏内に復帰後に蓄積した音声信号及び映像信号を送信できる。このため、使用者にサービスエリア圏内にいるかどうかを意識させることなく非常時の音声及び画像を送信でき、防犯効果を高めることができる。また、第６実施形態と同様、通常の電源オフ操作では待機状態になり、非常ボタン４を操作することにより直ちにマイク部２からの音声信号及びカメラ部３で撮影した映像信号を送信でき、端末使用者が誤って無線端末装置の電源オフ操作を行おうとした場合でも防犯効果を高めることができる。さらに、待機状態及び待機状態からの非常ボタン４の操作による自動電源オン状態において表示部１４を無表示のままとすることにより、外見的には電源オフのように見せることができ、動作状態が他者にわからないようにして緊急時の危険度を低下させることができる。
【００７６】
（第９実施形態）
図１０は、本発明の第９実施形態に係る無線端末装置の構成を示すブロック図である。第９実施形態の無線端末装置１ｉは、マイク部２と、カメラ部３と、非常ボタン４と、信号処理部５ｉと、メモリ部６と、無線部７と、各部に電源を供給するバッテリ１５と、補助電池部１６とを備えている。なお、第９実施形態においては、信号処理部５ｉ、バッテリ１５、補助電池部１６を除く他の部分は第６実施形態と同一である。
【００７７】
信号処理部５ｉは、マイク部２、カメラ部３、非常ボタン４、メモリ部６、無線部７、バッテリ１５及び補助電池部１６を制御し、互いの信号伝達を処理する。補助電池部１６はバッテリ１５の残量が少ないときに電源を供給するものである。
【００７８】
上記構成の無線端末装置１ｉにおいて、非常ボタン４が操作されてオンされると、信号処理部５ｉは、マイク部２及びカメラ部３の動作を開始させ、マイク部２より入力される音声信号及びカメラ部３より入力される映像信号をメモリ部６に蓄積する。
【００７９】
ここで、信号処理部５ｉは、無線部７からの情報により無線端末装置１ｉがサービスエリア圏内にあると判断した場合、予め設定された通信相手に向けてメモリ部６に蓄積された音声信号及び映像信号を無線部７より送信する。これに対して、無線部７からの情報により無線端末装置１ｉがサービスエリア圏外にあると判断した場合は、メモリ部６に蓄積された音声信号及び映像信号の送信を待機する。そして、無線端末装置１ｉがサービスエリア圏内に復帰すると、直ちにメモリ部６に蓄積された音声信号及び映像信号を自動的に予め設定された通信相手に送信する。
【００８０】
一方で、無線端末装置１ｉのバッテリ１５の残量が少ない場合及びバッテリ１５が取り外されている場合には、非常ボタン４を操作してもマイク部２からの音声信号及びカメラ部３からの映像信号を送信することができない。そこで、本実施形態では、無線端末装置１ｉ内部に補助電池部１６を備えることにより、バッテリ１５の残量が少ない場合またはバッテリ１５が取り外されている場合でも、マイク部２からの音声信号及びカメラ部３からの映像信号を送信することができる。
【００８１】
このように、第９実施形態の無線端末装置によれば、第１実施形態と同様、自装置がサービスエリア圏外にある場合に非常ボタン４が操作された場合は、マイク部２で取り込んだ音声信号及びカメラ部３で撮像した映像信号をメモリ部６に蓄積して待機し、サービスエリア圏内に復帰後に蓄積した音声信号及び映像信号を送信できる。このため、使用者にサービスエリア圏内にいるかどうかを意識させることなく非常時の音声及び画像を送信でき、防犯効果を高めることができる。また、通常のバッテリ１５の他に補助電池部１６を備えることにより、バッテリ１５の残量が少ない場合やバッテリ１５が取り外されている場合でもマイク部２からの音声信号及びカメラ部３で撮影した映像信号を送信できるため、さらに防犯効果が高まる。
【００８２】
なお、本発明は上述した実施形態に何ら限定されるものではなく、その要旨を逸脱しない範囲において種々の態様で実施し得るものである。例えば、上記第１実施形態から第９実施形態において、非常ボタン４の操作時にマイク部２からの音声信号及びカメラ部３からの映像信号を一旦メモリ部６に蓄積した上で送信する構成として具体例を示したが、メモリ部６への蓄積を行わずに、マイク部２からの音声信号及びカメラ部３からの映像信号をそのまま送信する構成としても構わない。
【００８３】
また、上記第１実施形態〜第９実施形態を任意に組み合せても構わない。例えば、第２実施形態と第３実施形態を組み合わせて、音声と振動によって端末使用者に圏外であることを通知するようにしても良い。この場合、音声と振動のいずれか一方を任意に選択できるようにすることも可能である。
【００８４】
上述したように本実施形態によれば、無線端末装置がサービスエリア圏外に存在する場合でも防犯効果の低下を最小限に抑えることができる。また、端末使用者が希望しない場合に誤って映像情報や音声情報が送信されることを防止できる。また、無線端末装置の電源が切られたりバッテリが外された状態でも、非常時には映像情報や音声情報の送信を行うことができる。また、非常時には映像情報や音声情報の送信状況を外部に示すことを防止し、端末使用者の危険度を低下させることができる。このように、防犯効果の向上を図ることができる。
【００８５】
【発明の効果】
以上説明したように本発明によれば、無線端末装置がサービスエリア圏外に存在する場合や電源オフ時などでも防犯効果の低下を最小限に抑えることができ、また端末使用者が意図しない映像情報や音声情報の送信、表示を防止することが可能な無線端末装置を提供できる。
【図面の簡単な説明】
【図１】本発明の第１実施形態に係る無線端末装置の構成を示すブロック図
【図２】本発明の第２実施形態に係る無線端末装置の構成を示すブロック図
【図３】本発明の第３実施形態に係る無線端末装置の構成を示すブロック図
【図４】本発明の第４実施形態に係る無線端末装置の構成を示すブロック図
【図５】本発明の第５実施形態に係る無線端末装置の構成を示すブロック図
【図６】本発明の第６実施形態に係る無線端末装置の制御方法を説明するための状態遷移図
【図７】本発明の第６実施形態に係る無線端末装置の構成を示すブロック図
【図８】本発明の第７実施形態に係る無線端末装置の構成を示すブロック図
【図９】本発明の第８実施形態に係る無線端末装置の構成を示すブロック図
【図１０】本発明の第９実施形態に係る無線端末装置の構成を示すブロック図
【符号の説明】
１ａ〜１ｉ　無線端末装置
２　マイク部
３　カメラ部
４　非常ボタン
５ａ〜５ｉ　信号処理部
６　メモリ部
７、１２　無線部
８　スピーカ部
９　振動部
１０　外部非常ボタン部
１１　変温部
１３　電源ボタン
１４　表示部
１５　バッテリ
１６　補助電池部
２０、２１　アンテナ
【図１】
2004072499.tif 000003
【図２】
2004072499.tif 000004
【図３】
2004072499.tif 000005
【図４】
2004072499.tif 000006
【図５】
2004072499.tif 000007
【図６】
2004072499.tif 000008
【図７】
2004072499.tif 000009
【図８】
2004072499.tif 000010
【図９】
2004072499.tif 000011
【図１０】
2004072499.tif 000012